(57)【特許請求の範囲】
【請求項１】
ネジ穴が形成される固定面と、
前記固定面と接続される支持面と、
前記固定面平面と異なる平面に形成されて前記支持面を介して前記固定面と接続される平板状の保持面と、
前記保持面と接続される突出面と
を有し、前記固定面でコンピュータに着脱可能であり、前記コンピュータに固定された状態で、前記保持面が前記コンピュータに装着されたカードメディアの抜き出し方向に配置され、前記突出面が前記カードメディアの突起に嵌合可能であることを特徴とするカード押さえ金具。
【請求項２】
前記突出面に前記保持面の方向に突出して形成される突出部と、
前記保持面の前記突出部と隣接する領域に形成される前記カードメディアの厚みより開口幅の大きい開口部と
をさらに有し、前記突出面が前記カードメディアの突起に嵌合可能であることを特徴とする請求項１記載のカード押さえ金具。
【請求項３】
前記保持面と直交して接し、前記固定面平面方向に突出する防護面を
さらに有することを特徴とする請求項１または請求項２のいずれかに記載のカード押さえ金具。
【請求項４】
第１のカード押さえ金具および第２のカード押さえ金具から構成され、
前記第１のカード押さえ金具が、
第１のネジ穴と、
カード保持穴と、
第１の切欠きと
を有し、前記第２のカード押さえ金具が、
第２のネジ穴が形成される固定面と、
前記固定面と異なる平面上に形成される保持面と、
前記固定面と前記保持面とを接続する折り曲げ面と、
前記保持面に形成されて前記固定面の平面に向かう方向と逆方向に突出するつまみ部と、
前記折り曲げ面に形成されて前記第１の切欠きと嵌合可能な第２の切欠きと
を有し、前記第１のネジ穴および前記第２のネジ穴でコンピュータに着脱可能であり、前記コンピュータに固定された状態で、前記保持面が前記コンピュータに装着されたカードメディアの抜き出し方向に配置され、前記カード保持穴は前記カードメディアを挿入可能であると共に挿入時に前記カードメディアの突起が前記カード保持穴の周囲の面に当接し、前記カードメディアを前記コンピュータに装着した状態では前記カードメディアが前記第１のカード押さえ金具に挿入されると共に前記第１の切欠きと前記第２の切欠きとが嵌合されることを特徴とするカード押さえ金具。
【請求項５】
前記保持面と直交して接し、前記固定面平面方向に突出する防護面を
さらに有することを特徴とする請求項４記載のカード押さえ金具。
【請求項６】
１または複数の端子と、
カードメディアを装着する開口部を備える１または複数のカードスロットと、
前記カードスロットの開口部を覆う着脱可能な請求項１〜請求項３のいずれかに記載のカード押さえ金具と
を有し、前記カード押さえ金具は、前記カードメディアの装着時には前記カードメディアの脱落を防止すると共に、前記カードメディアを抜き出す際には前記突出面または前記突出部を前記カードメディアの前記突起に嵌合させて前記カードメディアを抜き出しすることを特徴とするコンピュータ。
【請求項７】
１または複数の端子と、
カードメディアを装着する開口部を備える１または複数のカードスロットと、
前記カードスロットの開口部を覆う着脱可能な請求項４または請求項５のいずれかに記載のカード押さえ金具と
を有し、前記カード押さえ金具は、前記カードメディアの装着時には前記カードメディアが前記カード保持穴に挿入され、前記第１の切欠きと前記第２の切欠きとが嵌合し、前記保持面で前記カードメディアの脱落を防止すると共に、前記カードメディアを抜き出す際には前記つまみ部を引き出すことにより前記カードメディアを抜き出しすることを特徴とするコンピュータ。
【発明の詳細な説明】
【技術分野】
【０００１】
メディアカードスロットを備える産業機器等に用い、メディアカードを保持するカード押さえ金具およびそれを用いるコンピュータに関する。
【背景技術】
【０００２】
産業用あるいは民生用のコンピュータには各種端子が設けられている。例えば、デジタルサイネージや自動販売機，アミューズメント機器等の産業機器に搭載される産業用コンピュータは、各種産業機器の動作を制御している。このような産業用コンピュータには、産業機器の動作に用いるデータや、制御に用いるソフトウェア，ファームウェアが記憶されている。そして、このようなデータ類の記憶やインストール、アップデートの際には、コンパクトフラッシュ（登録商標）カード（以下ＣＦカードと称す）等が用いられ、産業用コンピュータにはＣＦカードスロットが設けられている。その他、産業用コンピュータには、ＬＡＮ端子やシリアルスロット，ＵＳＢ端子，ビデオ出力端子等が搭載されることが一般的である。
【０００３】
メディアカードは産業用コンピュータに対して抜き差しして用いられ、産業用コンピュータにイジェクト機構が設けられることがあった。あるいは、産業用コンピュータの小型化のために、イジェクト機構を用いないものもあった。
以下、図９，図１０を用いて、従来のカードスロットの構成を説明する。
図９は従来の産業用コンピュータの構成を説明する図、図１０は従来のＣＦカードが装着された状態を示す図である。
【０００４】
図９，図１０において、１は産業用コンピュータである。産業用コンピュータ１の１側面には、電源４，シリアル端子５，ビデオ出力端子６，ＬＡＮ端子７，ＵＳＢポート８および、ＣＦカードスロット２０等が形成されている。ＣＦカードスロット２０にはＣＦカード２が装着される。ＣＦカード２は先端がＣＦカードスロット２０から３〜４ｍｍ突出する状態で装着され、ＣＦカード２を取り出すときは突出する先端部分を指でつまんで抜き出す。また、ＣＦカード２を装着する際には、抜けの防止と、衝撃から保護するために、カード押さえ金具２１をＣＦカード２の突出部分の周囲を覆うように産業用コンピュータ１の側面にネジ１０を用いて固定する。
【０００５】
このように、従来のＣＦカードスロット２０では、イジェクト機構を設けない構成とすることにより、産業用コンピュータ１の小型化を図っていた。そして、カード押さえ金具２１は、産業用コンピュータ１に着脱可能なように固定された状態で、ＣＦカード２の誤排出を防止するように形成されていた。
【先行技術文献】
【特許文献】
【０００６】
【特許文献１】特開２００６−９２３５９号公報
【特許文献２】特開２００２−２４７７０号公報
【発明の概要】
【発明が解決しようとする課題】
【０００７】
近年の産業用コンピュータ１等のコンピュータはさらなる小型化，薄型化が求められている。しかしながら、従来の産業用コンピュータ１では、ＣＦカード２の取り出しの際にＣＦカード２の突出部をつまんで抜き出す構成であるので、他の端子との干渉を防ぐために、ＣＦカードスロット２０と他の端子とを間隔を空けて配置する必要があり、さらなる小型化，薄型化を阻害するという問題点があった。
上記問題点を解決するため、本発明は、ＣＦカードの取り出しを容易にしながら、コンピュータについて容易に小型化，薄型化を図ることを目的とする。
【課題を解決するための手段】
【０００８】
上記目的を達成するために、本発明のカード押さえ金具は、ネジ穴が形成される固定面と、前記固定面と接続される支持面と前記固定面平面と異なる平面に形成されて前記支持面を介して前記固定面と接続される平板状の保持面と、前記保持面と接続される突出面とを有し、前記固定面でコンピュータに着脱可能であり、前記コンピュータに固定された状態で、前記保持面が前記コンピュータに装着されたカードメディアの抜き出し方向に配置され、前記突出面が前記カードメディアの突起に嵌合可能であることを特徴とする。
【０００９】
また、前記突出面に前記保持面の方向に突出して形成される突出部と、前記保持面の前記突出部と隣接する領域に形成される前記カードメディアの厚みより開口幅の大きい開口部とをさらに有し、前記突出面が前記カードメディアの突起に嵌合可能であっても良い。
【００１０】
また、第１のカード押さえ金具および第２のカード押さえ金具から構成され、前記第１のカード押さえ金具が、第１のネジ穴と、カード保持穴と、第１の切欠きとを有し、前記第２のカード押さえ金具が、第２のネジ穴が形成される固定面と、前記固定面と異なる平面上に形成される保持面と、前記固定面と前記保持面とを接続する折り曲げ面と、前記保持面に形成されて前記固定面の平面に向かう方向と逆方向に突出するつまみ部と、前記折り曲げ面に形成されて前記第１の切欠きと嵌合可能な第２の切欠きとを有し、前記第１のネジ穴および前記第２のネジ穴でコンピュータに着脱可能であり、前記コンピュータに固定された状態で、前記保持面が前記コンピュータに装着されたカードメディアの抜き出し方向に配置され、前記カード保持穴は前記カードメディアを挿入可能であると共に挿入時に前記カードメディアの突起が前記カード保持穴の周囲の面に当接し、前記カードメディアを前記コンピュータに装着した状態では前記カードメディアが前記第１のカード押さえ金具に挿入されると共に前記第１の切欠きと前記第２の切欠きとが嵌合されることを特徴とする。
また、前記保持面と直交して接し、前記固定面平面方向に突出する防護面をさらに有することが好ましい。
【００１１】
さらに、本発明のコンピュータは、１または複数の端子と、カードメディアを装着する開口部を備える１または複数のカードスロットと、前記カードスロットの開口部を覆う着脱可能な前記カード押さえ金具とを有し、前記カード押さえ金具は、前記カードメディアの装着時には前記カードメディアの脱落を防止すると共に、前記カードメディアを抜き出す際には前記突出面または前記突出部を前記カードメディアの前記突起に嵌合させて前記カードメディアを抜き出しすることを特徴とする。
【００１２】
また、１または複数の端子と、カードメディアを装着する開口部を備える１または複数のカードスロットと、前記カードスロットの開口部を覆う着脱可能な前記カード押さえ金具とを有し、前記カード押さえ金具は、前記カードメディアの装着時には前記カードメディアが前記カード保持穴に挿入され、前記第１の切欠きと前記第２の切欠きとが嵌合し、前記保持面で前記カードメディアの脱落を防止すると共に、前記カードメディアを抜き出す際には前記つまみ部を引き出すことにより前記カードメディアを抜き出しすることを特徴とする。
【発明の効果】
【００１３】
以上のように、ＣＦカードの取り出しを容易にしながら、コンピュータについて容易に小型化，薄型化を図ることができる。
【図面の簡単な説明】
【００１４】
【図１】本発明の産業用コンピュータの構成を説明する分解斜視図
【図２】実施の形態１においてＣＦカードが装着された状態を示す図
【図３】実施の形態１におけるカード押さえ金具の構造を示す図
【図４】実施の形態１におけるカード押さえ金具を用いてＣＦカードを抜き出す工程を説明する図
【図５】実施の形態１における突出面の形状を例示する図
【図６】実施の形態２におけるカード押さえ金具の構造を示す図
【図７】実施の形態２におけるカード押さえ金具を用いてＣＦカードを抜き出す工程を説明する図
【図８】実施の形態３におけるカード押さえ金具の構成例を示す図
【図９】従来の産業用コンピュータの構成を説明する図
【図１０】従来のＣＦカードが装着された状態を示す図
【発明を実施するための形態】
【００１５】
まず、本発明のコンピュータの例としての産業用コンピュータについて、図１に基づいて説明する。
図１は本発明の産業用コンピュータの構成を説明する分解斜視図である。
【００１６】
図１において、１は産業用コンピュータである。産業用コンピュータ１は少なくとも１面に端子を配置する外部端子配置面１１を設ける直方体形状であり、産業用コンピュータ１の外部端子配置面１１には、端子として、電源４，シリアル端子５，ビデオ出力端子６，ＬＡＮ端子７，ＵＳＢポート８等および、１または複数のＣＦカードスロット３が形成されている。ＣＦカードスロット３には開口部が設けられ、開口部にＣＦカード２が装着される。ＣＦカード２には、産業用コンピュータ１の制御や動作に用いる、ソフトウェアやファームウェア、あるいはログやデータ等が記録されている。産業用コンピュータ１はこのようなソフトウェアやデータ等を用いて動作する。ソフトウェアやデータ等を変更，バージョンアップ等する場合には、ＣＦカード２を抜き出し、交換あるいはデータを書き換えを行う。一般的に、ＣＦカード２には先端部に凸状の突起が形成されている。ＣＦカード２は先端の突起がＣＦカードスロット３から露出する状態で装着される。ＣＦカード２を装着する際には、抜けの防止と、衝撃から保護するために、カード押さえ金具９がＣＦカード２の突出方向にＣＦカード２と近接配置され、ＣＦカード２の突出部分を覆うように産業用コンピュータ１の外部端子配置面１１にネジ１０を用いてカード押さえ金具９を固定する。例えば、ＣＦカード２とカード押さえ金具９の保持面１３とは接触させても良いが、０．５ｍｍ程度の間隔を設けるようにしても良い。すなわち、カード押さえ金具９は、ＣＦカード２を衝撃から保護すると共に、ＣＦカード２が抜けそうになっても動作に支障がない範囲内でＣＦカードスロット３から突出しない様にするため、ＣＦカード２と保持面１３との間隔を０〜１．０ｍｍ程度になるようにカード押さえ金具９を固定する。そして、ＣＦカード２を抜き出す際には、まず、カード押さえ金具９を取り外し、カード押さえ金具９を用いてＣＦカード２を引き出す。なお、図１ではカード押さえ金具として、実施の形態１におけるカード押さえ金具９を例として示している。
【００１７】
このように、ＣＦカード２の装着時にＣＦカード２の排出防止と衝撃緩和のために産業用コンピュータ１に固定されるカード押さえ金具９を流用し、ＣＦカード２の抜き出しに用いることができるため、産業用コンピュータ１にイジェクト機構を設ける必要がなくなり、ＣＦカードの取り出しを容易にしながら、コンピュータについて容易に小型化，薄型化を図ることができる。また、カード押さえ金具９を用いてＣＦカード２の抜き出しを行うことができるので、抜き出し時に指等が他の端子に干渉することを抑制することができ、効率的に端子配置を行うことができるので、よりコンピュータについて容易に小型化，薄型化を図ることができる。
以下、図面を用いて本発明の実施の形態としてカード押さえ金具の構造を説明する。
（実施の形態１）
以下、図１〜図５を用いて実施の形態１におけるカード押さえ金具について説明する。
【００１８】
図２は実施の形態１においてＣＦカードが装着された状態を示す図、図３は実施の形態１におけるカード押さえ金具の構造を示す図、図４は実施の形態１におけるカード押さえ金具を用いてＣＦカードを抜き出す工程を説明する図、図５は実施の形態１における突出面の形状を例示する図である。
【００１９】
図１〜図３に示すように、実施の形態１におけるカード押さえ金具９は長方形の板を少なくとも３回曲げて４つの面を形成し、穴１２が形成される面と保持面１３と突出面１４を少なくとも備える。穴１２が形成される面は産業用コンピュータ１に固定するためのネジ１０を通す穴１２が形成される。ＣＦカードスロット３にはＣＦカード２が装着され、ＣＦカード２は先端がＣＦカードスロット３から約１．５ｍｍ露出する状態で装着される。保持面１３は穴１２が形成される面とほぼ平行な面で、産業用コンピュータ１に固定された状態で、ＣＦカードスロット３に挿入されたＣＦカード２の突出された先端と接触して、あるいはわずかな間隔を空けて対向される。保持面１３は穴１２が形成される面に支持面を介して固定される。突出面１４はカード押さえ金具９の端部に形成され、保持面１３と概ね９０°、あるいは０°より大きく９５°以下の角度をなす。突出面１４はＣＦカード２の突起と嵌合する面となっている。さらに、突出面１４の角部を面取りしても良く、面取りした部分で突起と嵌合させることにより、突起へ容易に突出面１４を引っかけることができる。
次に、装着されたＣＦカード２を抜き出す工程について図４を用いて説明する。
【００２０】
図４に示すように、ＣＦカード２の装着時には、ＣＦカード２は産業用コンピュータ１から少なくとも突起が露出するようにＣＦカードスロット３に挿入されている。また、誤ってＣＦカード２が排出されるのを防止すると共にＣＦカード２を保護するために、産業用コンピュータ１のＣＦカードスロット３を覆う領域にカード押さえ金具９が固定されている。
【００２１】
ＣＦカード２を抜き出す際には、まず、固定されていたカード押さえ金具９を取り外す。次に、取り外したカード押さえ金具９を流用し、突出面１４をＣＦカード２の突起に引っかける。そして、引っかけた状態でカード押さえ金具９を図の矢印の方向に移動させ、ＣＦカード２をＣＦカードスロット３から引き出す。
【００２２】
このように、カード押さえ金具９を流用し、カード押さえ金具９の先端に突出面１４を形成することにより、イジェクト機構を設ける必要がなくなり、ＣＦカードの取り出しを容易にしながら、コンピュータについて容易に小型化，薄型化を図ることができる。また、カード押さえ金具９を用いてＣＦカード２の抜き出しを行うことができるので、抜き出し時に指等が他の端子に干渉することを抑制することができ、効率的に端子配置を行うことができるので、よりコンピュータについて容易に小型化，薄型化を図ることができる。
【００２３】
さらに、図５に示すように、突出面１４に突出部１５を形成しても良い。突出部１５は、突出面１４と保持面１３とを概ね直交するように接して形成し、突出面１４と保持面１３との境界から突出部１５が残るように保持面１３にＣＦカード２の厚みより広い開口部１６を形成する。これにより、保持面１３に形成された開口部１６と突出面１４から開口部１６方向に突出する突出部１５とが形成され、開口部１６にＣＦカード２を挿入し、突出部１５でＣＦカード２の突起を引っかけてＣＦカード２を抜き出すことができる。
【００２４】
このように、突出面１４から開口部１６方向に突出する突出部１５を設けることにより、カード押さえ金具９を立てて、つまり、ＣＦカード２の納入方向と直交する方向からＣＦカード２を抜き出しが可能となる。そのため、産業用コンピュータ１の外部端子配置面１１の前面にスペースが少ない場合であっても、カード押さえ金具９を用いて容易にＣＦカード２を抜き出すことができる。
（実施の形態２）
次に、図６，図７を用いて実施の形態２におけるカード押さえ金具について説明する。
【００２５】
図６は実施の形態２におけるカード押さえ金具の構造を示す図、図７は実施の形態２におけるカード押さえ金具を用いてＣＦカードを抜き出す工程を説明する図である。
【００２６】
図６，図７に示すように、実施の形態２におけるカード押さえ金具は、第１のカード押さえ金具２３と第２のカード押さえ金具２４とから構成される。第１のカード押さえ金具２３は産業用コンピュータ１に固定するネジ１０が通る１または複数の穴２２と、ＣＦカード２の挿入方向の断面形状より大きく突起を備える先端形状より小さいカード保持穴１７と、２箇所の切欠き１８とから形成され、カード保持穴１７にＣＦカード２を挿入してもＣＦカード２の突起がカード保持穴１７に当接し、貫通しない形状である。第２のカード押さえ金具２４は産業用コンピュータ１に固定するネジ１０が通る１または複数の穴３２が形成される固定面２５と、固定面２５と概ね平行で面一でない保持面２６と、固定面２５と保持面２６とをつなぐ折り曲げ面２７とで構成される。固定面２５と折り曲げ面２７との境目付近から折り曲げ面２７にかけて切欠き１９が形成される。また、保持面２６には固定面２５平面から保持面２６平面方向と平行な方向に突出するつまみ部２８が形成される。
【００２７】
ＣＦカード２をＣＦカードスロット３に装着する場合は、まず、第１のカード押さえ金具２３のカード保持穴１７にＣＦカード２を挿入する。この時、ＣＦカード２は突起がカード保持穴１７に当接してそれ以上挿入できない。次に、第１のカード押さえ金具２３に保持された状態でＣＦカード２をＣＦカードスロット３に装着する。なお、切欠き１８が上向きになることが好ましい。さらに、切欠き１８と切欠き１９とが嵌合するように、第１のカード押さえ金具２３に第２のカード押さえ金具２４を引っかける。切欠き１８が上向きに形成された場合は、上から第２のカード押さえ金具２４を第１のカード押さえ金具２３に引っかける。最後に、ネジ１０で第１のカード押さえ金具２３および第２のカード押さえ金具２４を産業用コンピュータ１に固定する。この状態で、第２のカード押さえ金具２４の保持面２６はＣＦカード２の排出方向前面に配置され、ＣＦカード２の誤排出を防止すると共にＣＦカード２を保護することができる。
【００２８】
ＣＦカード２をＣＦカードスロット３から抜き出す場合は、まず、ネジ１０を外す。そして、第２のカード押さえ金具２４のつまみ部２８をつまんで矢印の方向に引っ張る。第２のカード押さえ金具２４は切欠き１８と切欠き１９とで第１のカード押さえ金具２３と接続しており、第１のカード押さえ金具２３はカード保持穴１７の周囲にＣＦカード２の突起が当接しているので、第２のカード押さえ金具２４を矢印の方向に引っ張ることにより、ＣＦカード２をＣＦカードスロット３から抜き出すことができる。
【００２９】
このように、ＣＦカード２の誤排出を防止するカード押さえ金具を流用し、ＣＦカード２の抜き出しに用いることにより、イジェクト機構を設ける必要がなくなり、ＣＦカード２の取り出しを容易にしながら、コンピュータについて容易に小型化，薄型化を図ることができる。
（実施の形態３）
次に、図８を用いて実施の形態２におけるカード押さえ金具について説明する。
図８は実施の形態３におけるカード押さえ金具の構成例を示す図である。
【００３０】
図８に示すように、実施の形態３におけるカード押さえ金具では、実施の形態１における突出面１４が設けられたカード押さえ金具９あるいは突出面１４および突出部１５が設けられたカード押さえ金具９の保持面１３に直交し、穴１２が形成される面の平面方向に突出する防護面２９が形成される（図８（ａ））。同様に、実施の形態２における第２のカード押さえ金具２４の保持面２６に直交し、固定面２５の平面方向に突出する防護面３０が形成される（図８（ｂ））。
【００３１】
このように、カード押さえ金具を産業用コンピュータに固定した状態で、突出したＣＦカードの上面あるいは下面に沿って配置される防護面をさらに設けることにより、ＣＦカードの取り出しを容易にしながら、コンピュータについて容易に小型化，薄型化を図ると共に、装着時のＣＦカードをより衝撃から保護することができる。
【００３２】
なお、以上の説明ではＣＦカードを例に説明したが、ＳＤカードとＳＤカードスロット等、様々なカードメディアを装着する各種スロットを備えるコンピュータおよびそれに用いるカード押さえ金具としても良い。
また、コンピュータの１側面である外部端子配置面に全ての端子が配置される場合を例に説明したが、他の面にも端子が配置されていても良い。
【符号の説明】
【００３３】
１    産業用コンピュータ
２    ＣＦカード
３    ＣＦカードスロット
９    カード押さえ金具
１１    外部端子配置面
１４    突出面
１５    突出部
１６    開口部
１７    カード保持穴
１８    切欠き
１９    切欠き
２１    カード押さえ金具
２３    第１のカード押さえ金具
２４    第２のカード押さえ金具
２６    保持面
２８    つまみ部
２９    防護面
３０    防護面
【図１】
0005265030.tif 000002
【図２】
0005265030.tif 000003
【図３】
0005265030.tif 000004
【図４】
0005265030.tif 000005
【図５】
0005265030.tif 000006
【図６】
0005265030.tif 000007
【図７】
0005265030.tif 000008
【図８】
0005265030.tif 000009
【図９】
0005265030.tif 000010
【図１０】
0005265030.tif 000011